【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】  超広帯域（ＵＷＢ）トランスミッタとレシーバとを有する帯域測定装置であって、
低レベルＵＷＢエネルギパルスから成る低レベル波形適応超広帯域信号を発生するスイッチトインパルス発生器と、
前記低レベルＵＷＢエネルギパルスをフィルタリングしてその中心周波数を規定するとともに、所与のバンド幅及び中心周波数を有するフィルタリング済み低レベルＵＷＢエネルギパルスを作り出すウェーブ・フィルタと、
前記ウェーブ・フィルタに応答して、前記フィルタリング済み低レベルＵＷＢエネルギパルスを表す送信信号を放射するアンテナと、
前記アンテナが前記送信信号の放射を完了した後に、物体から反射された前記送信信号が表す表象を受け取るレシーバと、を備える帯域測定装置。
【請求項２】  超広帯域（ＵＷＢ）トランスミッタを利用した通信システムであって、
ＯＮ／ＯＦＦスイッチト発振器と、時間ゲート制御用のＤＣバイアスを有して交互にＯＮ／ＯＦＦされる発振器と、発振器出力を混合するインパルスゲート制御ミキサーと、の何れか１つを有して、連続した複数のＵＷＢパルスによって特徴付けられる低レベル超広帯域信号を発生するスイッチトインパルス発生器と、
前記スイッチトインパルス発生器に応答して前記ＵＷＢパルスをフィルタリングし、それによってフィルタリング済みＵＷＢパルスを作り出すフィルタと、
前記フィルタに応答して、前記フィルタリング済みＵＷＢパルスが表す表象を放射するアンテナと、
受信アンテナに接続されて前記放射されたＵＷＢパルスのエラー検出の割合に基づいて、受信する前記ＵＷＢパルスの減衰率を調節する可変減衰器と、前記可変減衰器の出力を検出する検出器とを有し、前記放射されたＵＷＢパルスの複数の表象のそれぞれを検出するレシーバと、を備える通信システム。
【請求項３】  超広帯域伝送技術を利用して物体を検出する方法であって、
発振器をインパルススイッチングして低レベル超広帯域信号を生成するインパルススイッチング工程と、
前記低レベル超広帯域信号に対してウェーブ・フィルタリングを行うウェーブ・フィルタリング工程と、
前記ウェーブ・フィルタリング工程後に、前記低レベル超広帯域信号を表す信号を送信する送信工程と、
前記送信工程後に、前記物体から、前記超広帯域信号の反射パルスを受信し、それによって前記物質を検出する受信工程と、を有し、
当該受信工程は、
レシーバによって受信された前記反射パルス中に検出されたエラーに応じて、前記反射パルスを可変的に減衰し、それによって減衰レベルを調節する可変減衰工程と、
前記可変減衰工程後に前記反射パルスによって生成された信号を検出する検出工程とを含む、方法。
【請求項４】  波形適応式超広帯域トランスミッタであって、
キャリア周波数規定サイクル周期性を有するＲＦエネルギの短いバーストを有する複数の連続する離散した低レベル超広帯域信号を発生する信号発生器と、
前記低レベル超広帯域信号の、周波数、パルス形状、バンド幅、位相、多重レベル振幅、多重レベル減衰、のいずれか１つを制御する減衰器と、バンドパスフィルタと、ミキサーと、パルス成形器と、のうちの少なくとも１つを有し、前記低レベル超広帯域信号を動的又はリアルタイムに制御して、前記低レベル超広帯域信号に応答する波形アダプタと、
前記波形アダプタに応答して超広帯域信号を放射するアンテナと、を備える波形適応式超広帯域トランスミッタ。
【請求項５】  請求項１の帯域測定装置であって、
前記レシーバは、エコーパルスに応答する少なくとも1つのトンネルダイオードを有する帯域測定装置。
【請求項６】  請求項１の帯域測定装置であつて、更に、
前記フィルタリング済み低レベルＵＷＢエネルギパルスを増幅する増幅器を有する帯域測定装置。
【請求項７】  請求項６の帯域測定装置であって、
前記ウェーブ・フィルタは、バンドパスフィルタとパルス成形器とのいずれか一方を有する帯域測定装置。
【請求項８】  請求項１の帯域測定装置であって、
前記ウェーブ・フィルタは、前記アンテナによって放射された帯域外放射物を低減するべく前記アンテナによって放射された前記送信信号のバンド幅を規定する帯域測定装置。
【請求項９】  請求項１の帯域測定装置であって、
前記レシーバは、
受信アンテナに接続されると共に、放射され、前記レシーバに受信された広帯域信号のエラー検出の率に基づいて減衰レベルを調節する可変減衰器と、
前記可変減衰器の出力を検出する検出器と、を備える帯域測定装置。
【請求項１０】  請求項９の帯域測定装置であって、
前記検出器は、トンネルダイオードを含み、
前記可変減衰器は、前記トンネルダイオードに対して、ノイズと受信情報信号とを交互に与えることによって前記減衰レベルを調節する帯域測定装置。
【請求項１１】  請求項１０の帯域測定装置であって、更に、
各ノイズ・ドウェル及びデータ・ドウェルの間に受信された信号に応じて前記可変減衰器をデジタル制御して、前記検出器がノイズと帯域測定信号とを識別することを可能にするコントローラを有する帯域測定装置。
【請求項１２】  請求項１１の帯域測定装置であって、
前記コントローラは、ノイズと帯域測定信号との間を識別するためにビットエラー率を利用する帯域測定装置。
【請求項１３】  請求項２の通信システムであって、更に、
前記フィルタと前記アンテナとの間に介在されて前記フィルタリング済みＵＷＢパルスを増幅する増幅器を有する通信システム。
【請求項１４】  請求項２の通信システムであって、
前記検出器は、トンネルダイオードを含み、
前記可変減衰器は、前記トンネルダイオードに対して、ノイズと、受信情報信号とを交互に与えることによって前記減衰率を調節する通信システム。
【請求項１５】  請求項１４の通信システムであって、
前記フィルタは、バンドパスフィルタと、前記アンテナの放射物を実質的に所与のパス帯域内に制限するパルス成形器とのいずれか一方を有する通信システム。 
【請求項１６】  請求項１４の通信システムであって、更に、
各ノイズ・ドウェル及びデータ・ドウェルの間に受信された信号に応じて前記可変減衰器をデジタル制御して、前記検出器がノイズと受信された情報信号とを識別することを可能にするコントローラを有する通信システム。
【請求項１７】  請求項１６の通信システムであって、
前記コントローラは、前記ノイズと前記情報信号との間を識別するためにビットエラー率を利用する通信システム。  
【請求項１８】  請求項３の方法であって、更に、
前記反射パルスを受信するためのトンネルダイオードを提供する提供工程を有する方法。
【請求項１９】  請求項３の方法であって、更に、
前記低レベル超広帯域信号を生成するために前記インパルススイッチング工程の後に、前記低レベル超広帯域信号を増幅する増幅工程を有する方法。
【請求項２０】  請求項１９の方法であって、
前記フィルタリング工程は、
バンドパスフィルタリング工程と、
前記アンテナの放射物を実質的に所与のパス帯域内に制限するために前記低レベル超広帯域信号をパルス成形するパルス成型工程と、のいずれか一方を有する方法。 
【請求項２１】  請求項２０の方法であって、更に、
前記物体から放射された前記反射パルスを表す信号のバンド幅を規定する規定工程を有する方法。
【請求項２２】  請求項３の方法であって、更に、
前記反射パルスを検出するためのトンネルダイオードを提供する提供工程と、
前記可変減衰器を、前記トンネルダイオードに対して、ノイズと、受信情報信号とを交互に与えることによって調節する調節工程とを有する方法。
【請求項２３】  請求項２２の方法であって、更に、
各ノイズ・ドウェル及びデータ・ドウェルの間に受信された信号に応じて前記可変減衰工程をデジタル制御して、前記ノイズと前記反射パルスを表す信号とを識別することを可能にするデジタル制御工程を有する方法。
【請求項２４】  請求項２３の方法であって、更に、
前記ノイズと前記反射パルスを表す信号との間を識別するためにビットエラー率を利用する工程を有する方法。
【請求項２５】  １パルス、１ビット超広帯域（ＵＷＢ）トランシーバシステムにおいて、送信された情報を検出する方法であって、
短い持続時間の連続した低レベルＵＷＢパルスを生成する生成工程と、
各情報ビットに応じて前記低レベルＵＷＢパルスのそれぞれを変調済み低レベルＵＷＢパルスに変調する変調工程と、 
フィルタリング済み低レベルＵＷＢパルスを生成すると共に帯域外放射物を拒絶するために、前記変調済み低レベルＵＷＢパルスをバンドパスフィルタリングするバンドパスフィルタリング工程と、
前記変調済み低レベルＵＷＢパルスのフィルタリング済み表象を放射する放射工程と、
前記変調済み低レベルＵＷＢパルスのそれぞれに関連する各情報ビットをレシーバで検出する検出工程と、有する方法。
【請求項２６】  請求項２５の方法であって、
前記生成工程は、前記低レベルＵＷＢパルスに関連するキャリア周波数を有し、ＲＦエネルギの短バーストを生成する工程を含む方法。
【請求項２７】  請求項２６の方法であって、
前記短バーストは、中心周波数を規定するＲＦエネルギのサイクルを少なくとも１つ含む方法。
【請求項２８】  請求項２７の方法であって、
前記バンドパスフィルタリング工程は、前記低レベルＵＷＢパルスをウェーブ・フィルタリングするウェーブ・フィルタリング工程を含む方法。
【請求項２９】  請求項２７の方法であって、
前記低レベルＵＷＢパルスは、パルス−パルスコヒーレンシィを有する方法。  
【請求項３０】  請求項２７の方法であって、
前記低レベルＵＷＢパルスは、パルス−パルスコヒーレンシィを有さない方法。
【請求項３１】  請求項２７の方法であって、
前記生成工程は、発振器をインパルス駆動して前記低レベルＵＷＢパルスを作り出すインパルス駆動工程を含む方法。
【請求項３２】  請求項２７の方法であって、
前記生成工程は、発振器の出力をゲート制御して前記低レベルＵＷＢパルスを作り出すミキサーをインパルス駆動するインパルス駆動工程を有する方法。
【請求項３３】  請求項３２の方法であって、更に、
前記ミキサーを、毎秒４００〜５００メガビットを含む１００メガビット以上でのスイッチングを可能にする短い立上り時間を有する低電圧によってインパルス駆動する工程を有する方法。
【請求項３４】  請求項２７の方法であって、
前記生成工程は、発振器のＤＣバイアスを時間ゲート制御して前記低レベルＵＷＢパルスを作り出す時間ゲート制御工程を含む方法。
【請求項３５】  請求項２７の方法であって、
前記変調工程は、前記生成工程のＯＮ／ＯＦＦスイッチングによって前記低レベルＵＷＢパルスを振幅変調する振幅変調工程を含む方法。
【請求項３６】  請求項２７の方法であって、
前記変調工程は、前記生成工程によって前記低レベルＵＷＢパルスを多重レベル振幅変調する多重レベル振幅変調工程を含む方法。
【請求項３７】  請求項２７の方法であって、
前記変調工程は、前記低レベルＵＷＢパルスを位相シフトする工程を含む方法。
【請求項３８】  請求項３１の方法であって、
前記発振器は、電圧制御発振器を含み、前記変調工程は、前記電圧制御発振器を、情報信号に応じて周波数シフトする周波数シフト工程を含む方法。
【請求項３９】  請求項３８の方法であって、
更に、前記発振器を周波数ホッピングする周波数ホッピング工程を有する方法。
【請求項４０】  請求項２７の方法であって、
前記検出工程は、各情報ビットを検出するためにトンネルダイオードを利用する工程を含む方法。
【請求項４１】  請求項４０の方法であって、更に、
エラーと情報信号との間を識別するためにビットエラー率を利用する工程を含む方法。
【請求項４２】  請求項２７の方法であって、更に、
前記放射工程の前に、前記フィルタリング済み低レベルＵＷＢパルスを増幅する増幅工程を有する方法。
【請求項４３】  請求項４２の方法であって、更に、
前記生成工程での前記低レベルＵＷＢパルスの発生に応じて前記増幅工程をゲート制御するゲート制御工程を有する方法。
【請求項４４】  請求項２７の方法であって、
前記短バーストの持続時間は、サブナノ秒を含み、２〜３ナノ秒以下の範囲である方法。
【請求項４５】  超広帯域パルス（ＵＷＢ）を送信し検出することによってデータを通信する方法であって、
規定されたキャリア周波数のＲＦエネルギを少なくとも１サイクル有するエネルギバーストを含む低レベルＵＷＢパルスを生成する生成工程と、
前記エネルギバーストをフィルタリングして帯域外放射物を拒絶するフィルタリング工程と、
前記エネルギバーストのフィルタリング済み表象を放射する放射工程と、
前記放射工程後に、前記エネルギバーストの前記フィルタリング済み表象に関連する情報のビットを検出し、それによってデータを通信する検出工程と、を有する方法。
【請求項４６】  請求項４５の方法であって、
前記フィルタリング工程は、前記エネルギバーストをウェーブ・フィルタリングして帯域外放射物を拒絶するウェーブ・フィルタリング工程を含む方法。
【請求項４７】  請求項４５の方法であって、
前記生成工程は、発振器をＯＮ／ＯＦＦスイッチングして前記エネルギバーストを作り出すＯＮ／ＯＦＦスイッチング工程を含む方法。
【請求項４８】  請求項４５の方法であって、
前記生成工程は、発振器の出力をゲート制御して前記ＵＷＢパルスを作り出すミキサーをインパルス駆動するインパルス駆動工程を有する方法。
【請求項４９】  請求項４５の方法であって、
前記生成工程は、発振器のＤＣバイアスを時間ゲート制御して前記エネルギバーストを作り出す時間ゲート制御工程を含む方法。
【請求項５０】  請求項４５の方法であって、
前記生成工程は、フィルタをインパルス駆動して前記エネルギバーストを作り出すインパルス駆動工程を含む方法。
【請求項５１】  超広帯域トランスミッタを利用した通信システムであって、
ＯＮ／ＯＦＦスイッチト発振器と、時間ゲート制御用のＤＣバイアスを有して交互にＯＮ／ＯＦＦされる発振器と、発振器出力を混合するインパルスゲート制御ミキサーと、のいずれか１つを有して、ＵＷＢパルス列によって特徴付けられる低レベル超広帯域信号を発生するスイッチトインパルス発生器と、
前記スイッチトインパルス発生器に応答して前記ＵＷＢパルスをフィルタリングするフィルタと、
前記フィルタに応答して、前記ＵＷＢパルスの表象を放射するアンテナと、
前記ＵＷＢパルスのそれぞれからデータを検出するレシーバと、を備える通信システム。
【請求項５２】  超広帯域伝送技術を利用して物体を検出する方法であって、
発振器をインパルススイッチングして低レベル超広帯域信号を生成するインパルススイッチング工程と、
前記低レベル超広帯域信号をウェーブ・フィルタリングするフィルタリング工程と、
前記フィルタリング工程後に、前記低レベル超広帯域信号を表す信号を送信する送信工程と、
前記送信工程後に、前記物体から、前記超広帯域信号の反射パルスを受信し、それによって前記物質を検出する受信工程と、を有する方法。
【請求項５３】  請求項５１の通信システムであって、更に、
前記フィルタと前記アンテナとの間に介在されて前記超広帯域信号を増幅する増幅器を有する通信システム。
【請求項５４】  請求項５３の通信システムであって、
前記フィルタは、
バンドパスフィルタと、
前記アンテナの放射物を実質的に所与のパス帯域内に制限するパルス成形器と、のいずれか一方を有する通信システム。 
【請求項５５】  請求項５１の通信システムであって、
前記レシーバは、
受信アンテナに接続されて、前記レシーバに受信された前記放射超広帯域信号のエラー検出率に基づいて減衰レベルを調節する可変減衰器と、
前記可変減衰器の出力を検出する検出器と、を備える通信システム。
【請求項５６】  請求項５５の通信システムであって、
前記検出器は、トンネルダイオードを含み、
前記可変減衰器は、前記トンネルダイオードに対して、ノイズと受信情報信号とを交互に与えることによって前記減衰レベルを調節する、通信システム。
【請求項５７】  請求項５６の通信システムであって、更に、
各ノイズ・ドウェル及びデータ・ドウェルの間に受信された信号に応じて前記可変減衰器をデジタル制御して、前記検出器が前記ノイズと前記受信情報信号とを識別することを可能にするコントローラを有する、通信システム。
【請求項５８】  請求項５７の通信システムであって、
前記コントローラは、前記ノイズと前記情報信号との間を識別するためにビットエラー率を利用する、通信システム。
【請求項５９】  請求項５２の方法であって、更に、
前記反射パルスを受信するためのトンネルダイオードを提供する工程を有する方法。
【請求項６０】  請求項５２の方法であって、更に、
前記低レベル超広帯域信号の生成工程の後に、前記低レベル超広帯域信号を増幅する増幅工程を有する方法。
【請求項６１】  請求項６０の方法であって、
前記フィルタリング工程は、
バンドパスフィルタリング工程と、
前記アンテナの放射物を実質的に所与のパス帯域内に制限するために前記低レベル超広帯域信号をパルス成形するパルス成形工程と、のいずれか一方を有する方法。 
【請求項６２】  請求項６１の方法であって、更に、
前記物体に照射される信号のバンド幅を規定する規定工程を有する方法。
【請求項６３】  請求項５２の方法であって、
前記受信工程は、
前記レシーバによって受信された前記反射パルス中に検出されたエラーに応じて減衰レベルを調節し、前記反射パルスを可変的に減衰する可変減衰工程と、
前記可変減衰工程後に前記反射パルスによって生成された信号を検出する検出工程と、を含む方法。  
【請求項６４】  請求項６３の方法であって、更に、
前記反射パルスを検出するためのトンネルダイオードを提供する提供工程と、
前記可変減衰工程において、前記トンネルダイオードに対して、ノイズと受信情報信号とを交互に与えることによって前記減衰レベルを調節する調節工程と、を有する方法。
【請求項６５】  請求項６４の方法であって、更に、
各ノイズ・ドウェル及びデータ・ドウェルの間に受信された信号に応じて前記可変減衰工程をデジタル制御して、前記ノイズと前記反射パルスを表す信号とを識別することを可能にするデジタル制御工程を有する方法。  
【請求項６６】  請求項６５の方法であって、更に、
前記ノイズと前記反射パルスを表す信号との間を識別するためにビットエラー率を利用する工程を有する方法。
【請求項６７】  超広帯域パルスを送信する方法であって、
規定されたキャリア周波数の数サイクルのＲＦエネルギを有するエネルギバーストを含む低レベルＵＷＢパルスを生成する生成工程と、
前記エネルギバーストをウェーブ・フィルタリングして帯域外放射物を拒絶するウェーブ・フィルタリング工程と、
前記エネルギバーストのフィルタリング済み表象を放射する放射工程と、を有する方法。
【請求項６８】  請求項６７の方法であって、更に、
前記放射工程前に、前記エネルギバーストを増幅する増幅工程を有する方法。